(57)【特許請求の範囲】
【請求項１】
受信部で受信する放送信号から映像信号、音声信号、または番組情報を分離する信号分離部と、
前記番組情報を解析する解析部と、
解析された前記番組情報から表示する情報量が異なる複数の番組バナーを生成して映像出力部へ出力する映像合成部と、
解析された前記番組情報から合成音声信号を生成する合成音声生成部と、
操作確認音を生成する操作確認音生成部と、
生成された前記合成音声信号、生成された前記操作確認音、または前記信号分離部から出力される前記音声信号を、単独で出力するまたは複数を合成して出力する音声混合部と、
前記映像合成部、前記合成音声生成部及び前記音声混合部を制御する制御部とを備え、
前記制御部は、
前記番組バナーを表示させる指示が入力される度に、前記映像合成部に表示する情報量を段階的に変化させて前記番組バナーを生成させ、前記指示を入力して前記映像合成部に表示する前記情報量が増える場合には前記音声混合部に前記合成音声信号を音声出力部へ出力させる、ことを特徴とする放送受信装置。
【請求項２】
番組バナーを表示部に表示するための指示を入力するステップと、
前記指示が入力される度に、前記番組バナーに表示する情報量を段階的に変化させて生成して映像出力部に出力するステップと、
前記指示が入力される度に、前記映像出力部に出力されている前記番組バナーの情報量が減るのか増えるのかによって、前記番組バナーの情報を合成音声信号として出力するか否かを判断するステップと、
前記番組バナーの情報を合成音声信号として出力しないと判断した場合、操作確認音を出力するステップとを有し、
前記番組バナーの情報量が増える場合に前記合成音声信号を出力するように判断することする、ことを特徴とする放送受信装置における番組情報音声出力方法。
【発明の詳細な説明】
【技術分野】
【０００１】
本発明は、放送受信装置に関し、更に詳しくは、音声合成機能および音声出力機能を有する放送受信装置及び放送受信装置における番組情報音声出力方法に関する。
【背景技術】
【０００２】
デジタルテレビ放送信号中に番組情報等をコード化して多重伝送するテレビ放送を受信する放送受信装置では、これらのコード化された番組情報をユーザーに提示する機能を有している。ユーザーに番組情報を提示するための具体的な方法としては、ユーザーから番組情報の提示要求が発生した場合に、ＯＳＤ（Ｏｎ  Ｓｃｒｅｅｎ  Ｄｉｓｐｌａｙ）表示機能などを用いて番組のタイトルや番組の内容などを文字情報として表示する方法や、ユーザーから番組情報の提示要求が発生した場合に、音声合成回路を用いて番組情報を音声信号に変換して出力する方法がある（例えば、特許文献１参照）。
【先行技術文献】
【特許文献】
【０００３】
【特許文献１】特開２０００−３２４４１７号公報
【発明の概要】
【発明が解決しようとする課題】
【０００４】
ところで、音声合成機能及び音声出力機能を有する放送受信装置では、上記従来の技術のように文字情報としてユーザーに提示していた機能を音声信号としてユーザーに提示する他、文字情報と音声情報を同時に提示する場合が考えられる。例えば、図５に示すような番組バナーは、リモコンの「画面表示」ボタンなどを押すことによって表示画面に表示されるが、この場合、番組バナーとして番組の開始時間、番組タイトル、チャンネル名などを表示すると同時に、それらの文字情報を音声信号に変換して出力される。
【０００５】
ここで「画面表示」ボタンを押下して番組バナーを表示させる機能の動作としては、図２に示すように、「画面表示」ボタンを押すことによって、番組バナーをいくつかの状態に遷移させる動作が考えられる。つまり、状態Ｃで「画面表示」ボタンを押せば状態Ａへ、状態Ａで「画面表示」ボタンを押せば状態Ｂへ、状態Ｂで「画面表示」ボタンを押せば状態Ｃへ遷移し、夫々の状態に応じた番組バナーを表示させる動作である。一方、一定時間経過することで自動的に番組バナーの表示状態を遷移させる動作もある。例えば、状態Ａに遷移してリモコン入力などがなく一定時間経過した場合は自動的に状態Ｂへ遷移し、状態Ｂに遷移してリモコン入力などがなく一定時間経過した場合は自動的に状態Ｃへ遷移する動作である。
【０００６】
しかしながら、上記の文字情報と音声情報を同時に提示する場合において番組バナーの状態が状態Ａのみで合成音声信号を出力する場合、ユーザーが音声合成した信号を出力するために「画面表示」ボタンを押したとき状態Ａの番組バナーを表示中であった場合は状態Ｂの番組バナーへ遷移し、状態Ｂの番組バナーを表示中であった場合は状態Ｃへ遷移して番組バナーが消えるため、合成音声信号の出力を行わない動作となってしまうという問題があった。
【０００７】
このような動作となった場合、例えば表示画面を見ることができないユーザーは「画面表示」ボタンを押してなぜ合成音声信号の出力を行わないのか原因が判断できない状況になり得る。つまり、リモコンボタンが正しく放送受信装置に送信されなかったのか、あるいは番組バナーが図２に示す状態Ｂもしくは状態Ｃであるために合成音声信号が出力されないか判断することが難しいという問題があった。
【０００８】
本発明は、音声合成機能及び音声出力機能を有する放送受信装置において、ユーザー操作による合成音声出力を行わない場合に、ユーザーにその原因を提示することによって、ユーザーが合成音声出力を行わない原因を認識できるようにすることが可能な放送受信装置及び放送受信装置における番組情報音声出力方法を提供することを目的とする。
【課題を解決するための手段】
【０００９】
本発明の放送受信装置では、ユーザーの音声合成出力を要求するリモコン操作を受けた場合、その要求信号が制御部へ入力され、制御部が現在表示されている放送映像やＯＳＤ映像の状況から、合成音声信号を出力すべきか、あるいはそのまま合成音声が出力できないと判断し代替手段によるユーザーへの通知が必要かを判断する。
【００１０】
代替手段によるユーザーへの通知が必要である場合は、合成音声信号とは異なる音声信号（例えば、ブザー音等）を出力することによって、合成音声が出力できないことをユーザーに提示する。
【００１１】
また、代替手段によるユーザーへの通知が必要である場合は、合成音声を出力しない旨の文章を音声信号として合成し、その音声信号をユーザーが要求を行った内容の合成音声の代替として出力する。
【発明の効果】
【００１２】
本発明によれば、ユーザー操作による合成音声出力を行わない場合に、ユーザーにその原因を提示することによって、ユーザーが合成音声出力を行わない原因を認識できる。
【図面の簡単な説明】
【００１３】
【図１】本発明の実施の形態に係る放送受信装置の構成を示すブロック図
【図２】番組バナーの提示状態とリモコン入力および一定時間経過後の遷移を表す図
【図３】本発明の実施の形態に係る音声出力制御処理を示すフローチャート
【図４】番組バナーの提示状態とリモコン入力および一定時間経過による状態遷移と音声出力内容の対応を示した図
【図５】番組バナーの表示内容を示す図
【図６】ＥＩＴの構成を示す図
【図７】Ｓｈｏｒｔ  ｅｖｅｎｔ  ｄｅｓｃｒｉｐｔｏｒの構成を示す図である。
【図８】ＳＤＴの構成を示す図
【図９】Ｓｅｒｖｉｃｅ  ｄｅｓｃｒｉｐｔｏｒの構成を示す図
【図１０】本発明の実施の形態に係る番組表上での音声出力制御処理を説明するための図
【発明を実施するための形態】
【００１４】
以下、図面を参照して本発明の実施の形態について詳細に説明する。
【００１５】
本実施の形態では、放送受信装置が放送局からデジタル放送を受信するデジタル放送受信装置である形態について説明する。ただし、本発明に係る放送受信装置は、アナログ放送を受信するアナログ放送受信装置であってもよいし、デジタル放送とアナログ放送の双方を受信可能な放送受信装置であってもよい。
【００１６】
図１は、本発明の実施の形態に係る放送受信装置の構成を示すブロック図である。図１に示されるように、放送受信装置１０は、受信部１０１、信号分離部１０２、映像生成部１０３、映像合成部１０４、制御部１０５、音声生成部１０６、文字データ解析部１０７、操作確認音生成部１０８、合成音声生成部１０９、音声混合部１１０、ユーザー指示部１１１からなる。本実施の形態に係る放送受信装置１０は、従来の放送受信装置に対し、合成音声が出力されない場合に操作確認音を出力するために、操作確認音生成部１０８を備える点で異なる。
【００１７】
受信部１０１は、アンテナ（図示せず）で受信されるデジタル放送信号を復号し、デジタル放送復号信号であるトランスポートストリームを信号分離部１０２へ出力する。信号分離部１０２は、入力されたトランスポートストリームから音声信号のＰＥＳパケットを含む音声ストリーム、映像信号のＰＥＳパケットを含む映像ストリーム及び番組情報のデータを分離する。
【００１８】
分離された音声ストリームは音声生成部１０６へ出力され、音声信号への変換が行われた後、音声混合部１１０へ出力される。分離された映像ストリームは映像生成部１０３へ出力され映像信号への変換が行われた後、映像合成部１０４へ出力される。
【００１９】
映像合成部１０４では変換された映像信号をそのまま映像出力部（図示せず）へ出力したり、変換された映像信号に番組バナー等のＯＳＤ信号や番組表等のＯＳＤ信号を重畳させて映像出力部（図示せず）へ出力したり、ＯＳＤ信号のみに切り替えて映像出力部（図示せず）へ出力したりする。これらの表示する映像信号の切換処理は制御部１０５からの切換信号に応じて行われる。
【００２０】
信号分離部１０２で分離された番組情報データの一部は文字データ解析部１０７へ出力される。本実施の形態の放送受信装置１０は、図２の番組バナー２２０を映像合成部１０４から出力することができるが、番組バナー２２０で表示する情報は、信号分離部１０２で分離された番組情報データの一部であるＥＩＴ（Ｅｖｅｎｔ  Ｉｎｆｏｒｍａｔｉｏｎ  Ｔａｂｌｅ）と呼ばれるテーブル形式で送出された情報を利用している。
【００２１】
番組の開始時間は、図６で示すＥＩＴのイベントループ中のｓｔａｒｔ＿ｔｉｍｅを参照し、番組の終了時間は、ｓｔａｒｔ＿ｔｉｍｅにｄｕｒａｔｉｏｎ時間を加えることで算出を行う。番組の放送局名は、図８で示すＳＤＴ（Ｓｅｒｖｉｃｅ  Ｄｅｓｃｒｉｐｔｉｏｎ  Ｔａｂｌｅ）のサービスループ中のデスクリプタ（ｄｅｓｃｒｉｐｔｏｒ（））であるＳｅｒｖｉｃｅ＿ｄｅｓｃｒｉｐｔｏｒ中のｓｅｒｖｉｃｅ＿ｃｈａｒの文字列を取得し、放送局名として利用する。Ｓｅｒｖｉｃｅ＿ｄｅｓｃｒｉｐｔｏｒは図９に示す。番組のタイトル情報は、図７に示すｓｈｏｒｔ＿ｅｖｅｎｔ＿ｄｅｓｃｒｉｐｔｏｒのｅｖｅｎｔ＿ｎａｍｅ＿ｃｈａｒに記載される。なお、ｓｈｏｒｔ＿ｅｖｅｎｔ＿ｄｅｓｃｒｉｐｔｏｒはＥＩＴのイベントループ中のデスクリプタである。文字データ解析部１０７では、ｓｈｏｒｔ＿ｅｖｅｎｔ＿ｄｅｓｃｒｉｐｔｏｒから番組タイトル情報を抽出し、抽出した文字データを映像合成部１０４および合成音声生成部１０９へ出力する。映像合成部１０４では、文字データ解析部１０７から入力された文字データ等を利用し番組バナーや番組表の映像信号を生成する。
【００２２】
合成音声生成部１０９には、文字データ解析部１０７から出力された文字データが入力され、文字データ信号に応じた音声信号が生成される。生成された音声信号は、合成音声信号として音声混合部１１０へ出力される。操作確認音生成部１０８は、制御部１０５からの指示信号が入力されると、ブザー音等の音声信号を生成して音声混合部１１０へ出力する。
【００２３】
音声混合部１１０には、音声生成部１０６によって変換された音声信号と、合成音声生成部１０９で生成された合成音声信号と、操作確認音生成部１０８で生成された音声信号が入力される。そして、制御部１０５からの制御信号に応じて前述の音声を選択し、いずれかの音声を単独もしくは複数の音声信号を混合して音声出力部（図示せず）へ出力する。
【００２４】
制御部１０５には、ユーザー指示部１１１からリモコン信号が入力され、入力されたリモコン信号に応じて、映像合成部１０４や合成音声生成部１０９、操作確認音生成部１０８、音声混合部１１０に指示信号を出力する。また、番組バナーの現在の表示状態（状態Ａ、状態Ｂ、状態Ｃ）を記憶する。制御部１０５の音声出力制御処理については、後ほど図３及び図４を用いて詳述する。
【００２５】
なお、本実施の形態では、映像出力部（図示せず）及び音声出力部（図示せず）を放送受信装置１０の構成要素としているが、映像出力部（図示せず）及び音声出力部（図示せず）を放送受信装置１０から分離してもよい。
【００２６】
本実施の形態の放送受信装置１０の状態と番組バナーの表示内容について、図２を用いて具体的に説明する。状態Ａでは、番組バナー２２０として番組の時間、番組のタイトル、チャンネル名が表示される。状態Ｂでは、番組バナーはチャンネル名のみが表示される。状態Ｃでは番組バナーはなにも表示されない。
【００２７】
放送受信装置１０が状態Ａであった場合にリモコンで例えば「画面表示」ボタンが押された場合は状態Ｂに遷移し番組バナーはチャンネル名のみに変化する。放送受信装置１０が状態Ｂであった場合にリモコンで「画面表示」ボタンが押された場合は状態Ｃに遷移し番組バナーは消去される。放送受信装置１０が状態Ｃであった場合にリモコンで「画面表示」ボタンが押された場合は状態Ａに遷移し番組バナー２２０として番組の時間、番組タイトル、チャンネル名が表示される。このように、表示される番組バナーは、リモコンからの指示に応答して、番組バナーの情報量が段階的に変化されて、表示される。すなわち、状態Ａにおける番組バナーの情報量が最も多く、状態Ｂ、状態Ｃの順で情報量が段階的に少なくなっている。
【００２８】
また、放送受信装置１０が状態Ａでありユーザー指示部１１１からのリモコン入力がなく所定時間が経過した場合は状態Ｂに遷移し番組バナーはチャンネル名のみに変化する。放送受信装置１０が状態Ｂでありユーザー指示部１１１からのリモコン入力がなく所定時間が経過した場合は状態Ｃに遷移し番組バナーは消去される。なお、放送受信装置１０が状態Ｃにありユーザー指示部１１１からのリモコン入力がなく所定時間が経過した場合は状態の遷移は行わず、番組バナーは表示されないままである。
【００２９】
一方、合成音声の出力に関しては、状態Ａへ遷移する際にのみ番組の時間、番組のタイトル、チャンネル名の文字情報を音声合成し出力するものとし、状態Ｂおよび状態Ｃへ遷移する際には合成音声信号の出力は行わないものとする。
【００３０】
ここで、図３のフローチャートを用いて、制御部１０５の音声出力制御処理について説明する。なお、図４は図３の制御部１０５の音声出力制御処理を、縦軸を現在の番組バナーの表示状態（現在の状態）、横軸を番組バナーを遷移させるためのトリガ（要因）として、トリガが入力されたときの番組バナーの状態遷移及び音声出力状況を対応付けて示している。
【００３１】
制御部１０５は、ユーザー指示部１１１から「画面表示」ボタンが押されたという情報が入力された場合に（ステップＳ３０１）、記憶した現在の番組バナーの表示状態を判定する（ステップＳ３０２）。
【００３２】
現在の番組バナーの表示状態が「状態Ｃ」である場合（ステップＳ３０３で「ＹＥＳ」）、文字データ解析部１０７、合成音声生成部１０９及び音声混合部１１０を制御して合成音声信号を出力させ（ステップＳ３０４）、合成音声信号出力後に、文字データ解析部１０７及び映像合成部１０４を制御して状態Ｃの番組バナーを状態Ａの番組バナーに遷移させるとともに、番組バナーの現在の表示状態を「状態Ａ」に更新する（ステップＳ３０５、ステップＳ３０６）。なお、ステップＳ３０４はステップＳ３０５もしくはステップＳ３０６より後とすることも可能である。
【００３３】
現在の番組バナーの表示状態が「状態Ａ」である場合（ステップＳ３０３で「ＮＯ」、ステップＳ３０７で「ＹＥＳ」）、操作確認音生成部１０８及び音声混合部１１０を制御して操作確認音を出力させ（ステップＳ３０８）、操作確認音出力後に、文字データ解析部１０７及び映像合成部１０４を制御して状態Ａの番組バナーを状態Ｂの番組バナーに遷移させるとともに、番組バナーの現在の表示状態を「状態Ｂ」に更新する（ステップＳ３０９、ステップＳ３１０）。
【００３４】
現在の番組バナーの表示状態が「状態Ｂ」である場合（ステップＳ３０３で「ＮＯ」、ステップＳ３０７で「ＮＯ」）、操作確認音生成部１０８及び音声混合部１１０を制御して操作確認音を出力させ（ステップＳ３１１）、操作確認音出力後に、文字データ解析部１０７及び映像合成部１０４を制御して状態Ｂの番組バナーを状態Ｃの番組バナーに遷移させるとともに、番組バナーの現在の表示状態を「状態Ｃ」に更新する（ステップＳ３１２、ステップＳ３１３）。
【００３５】
一方、ユーザー指示部１１１から「画面表示」ボタンが押されたという情報が入力されずに一定時間が経過した場合（ステップＳ３０１で「ＮＯ」、ステップＳ３１４で「ＹＥＳ」）、番組バナーの現在の表示状態を判定し（ステップＳ３１５）、現在の番組バナーの表示状態が「状態Ａ」である場合は（ステップＳ３１６で「ＹＥＳ」）、合成音声信号及び操作確認音を出力することなく、文字データ解析部１０７及び映像合成部１０４を制御して状態Ａの番組バナーを状態Ｂの番組バナーに遷移させるとともに、番組バナーの現在の表示状態を「状態Ｂ」に更新する（ステップＳ３１７、ステップＳ３１８）。
【００３６】
現在の番組バナーの表示状態が「状態Ｂ」である場合は（ステップＳ３１６で「ＮＯ」、Ｓ３１９で「ＹＥＳ」）、合成音声信号及び操作確認音を出力させることなく、文字データ解析部１０７及び映像合成部１０４を制御して状態Ｂの番組バナーを状態Ｃの番組バナーに遷移させるとともに、番組バナーの現在の表示状態を「状態Ｃ」に更新する（ステップＳ３２０、ステップＳ３２１）。
【００３７】
現在の番組バナーの表示状態が「状態Ｃ」である場合は（ステップＳ３１６で「ＮＯ」、Ｓ３１９で「ＮＯ」）、合成音声信号及び操作確認音を出力させることも、現在の番組バナーの表示状態を遷移させることも行わない。
【００３８】
本実施の形態によれば、番組バナーの遷移に伴って番組バナーに関連する情報を音声出力する場合において、リモコン入力に伴う状態Ａから状態Ｂへの遷移時や状態Ｂから状態Ｃへの遷移の際に合成音声を出力せず、操作確認音生成部１０８により生成された操作確認音を出力することによって、目の不自由なユーザーが合成音声を聞くことを目的にリモコンボタンを押した時に、合成音声が出力しない原因を把握することができるようになる。
【００３９】
なお、本実施の形態では、操作確認音生成部１０８で操作確認音を生成して音声出力しているが、操作確認音生成部１０８の代わりに、操作確認音保存部（図示せず）を備えても良い。この場合、操作確認音保存部（図示せず）は、操作確認音または合成音声を出力しない旨の文章を予めハードディスクやメモリで実現される保存装置に保存しておき、操作確認音を出力する必要がある場合に保存装置に保存してある音声信号を読み込み、音声混合部１１０へと出力する。
【００４０】
なお、本実施の形態では、番組バナーを例に挙げて説明しているが、番組表においても、ユーザーが提示要求した合成音声信号が出力されない場合に、確認音を出力することでユーザーの状況把握を補助することが可能である。図１０はテレビの番組表であり、ユーザーはカーソルを番組単位で選択することが可能である。例えば、図１０はカーソルが番組Ａにあたっている状態である。この状態の時、ユーザーによって下カーソルボタンが押された場合は、カーソルは番組Ｂに移動する。制御部１０５はカーソルが番組Ｂにあたったことを判断し、番組Ｂの開始時間、チャンネル名、タイトル情報に応じた音声信号を合成音声生成部１０９において生成し、音声混合部１１０に出力する。番組の開始時間、チャンネル名、タイトル情報は図５で示した番組バナーと同様に、ＥＩＴおよびＳＤＴから取得可能である。
【００４１】
ここで、カーソルが番組Ａ上にあり、現在放送中の番組が番組Ａであり、上カーソルキーが押されても過去の番組であるため番組表として表示されない場合、カーソルは番組Ａ上から移動しないものとする。この場合、上カーソルキーが押されても番組の開始時間、チャンネル名、タイトルの合成音声は生成されない。このような場合、画面を見ることが難しいユーザーは、上カーソルキーを押したにもかかわらず、なぜ番組の開始時間、チャンネル名、番組タイトルが出力されないのか把握することができない。このような場合に、番組バナーと同様、操作確認音生成部１０８で生成した音声信号を出力する。
【００４２】
なお、図３のステップＳ３０３とステップＳ３０４との間に、操作確認音を出力するようにしても構わない。この場合に出力される操作確認音は、ステップＳ３０８およびステップＳ３１１にて出力される操作確認音とは別の特別な操作確認音である。このようにすると、番組バナーの情報が合成音声として出力される前に特別な操作確認音が出力される。このため、画面を見ることが難しいユーザーは、これから番組バナーの情報が音声出力されることを認識でき、集中して合成音声を聞いて番組バナーの情報を取得することができる。
【００４３】
以上のように、本実施の形態に係る放送受信装置によれば、目の不自由なユーザーが、画面遷移の状態を容易に把握できるようになるとともに、画面が遷移しない原因を容易に把握できる。このような状態で合成音声が出力されるので、目の不自由なユーザーが番組バナーの情報を確実に取得することができる。さらに、番組バナーの表示状態と合成音声または操作確認音の出力状態とを同期させているので、視覚障害者と健常者（または聴覚障害者）とが１台の放送受信装置を視聴している場合であっても、同じ情報を同じタイミングで共有することができる。
【産業上の利用可能性】
【００４４】
本発明の放送受信装置は、ユーザーが合成音声を提示要求した際に合成音声信号が出力されない場合に確認音を出力することで、画面を見ることが難しいユーザーの状況把握を補助することが可能であり、音声合成機能を備えたＡＶ機器に適用される。
【符号の説明】
【００４５】
１０１  受信部
１０２  信号分離部
１０３  映像生成部
１０４  映像合成部
１０５  制御部
１０６  音声生成部
１０７  文字データ解析部
１０８  操作確認音生成部
１０９  合成音声生成部
１１０  音声混合部
１１１  ユーザー指示部
【図１】
0005551186.tif 000002
【図２】
0005551186.tif 000003
【図３】
0005551186.tif 000004
【図４】
0005551186.tif 000005
【図５】
0005551186.tif 000006
【図６】
0005551186.tif 000007
【図７】
0005551186.tif 000008
【図８】
0005551186.tif 000009
【図９】
0005551186.tif 000010
【図１０】
0005551186.tif 000011